【手続補正書】
【提出日】平成19年9月14日(2007.9.14)
【手続補正１】
【補正対象書類名】特許請求の範囲
【補正対象項目名】全文
【補正方法】変更
【補正の内容】
【特許請求の範囲】
【請求項１】
フレーム間符号化手段、フレーム内符号化手段を備え、動画像データを符号化する画像符号化装置であって、
前記フレーム間符号化手段は、
現フレーム以外の複数の参照フレームを記憶する記憶手段と、
現フレーム内の注目ブロックに関する整数画素ピッチの精度での予測動き情報を、前記記憶手段に記憶された複数の参照フレームの中から算出する第１の算出手段と、
該第１の算出手段で算出された前記整数画素ピッチの精度の予測動き情報を得る際に参照した参照フレームから、前記整数画素ピッチよりも小さいピッチで予測動き情報を算出する第２の算出手段と、
前記第１及び第２の算出手段で得られた各予測動き情報を評価し、１つの予測動き情報を決定し、決定された予測動き情報と現フレームの注目ブロックとの差分を求め、符号化する符号化手段と
を備えることを特徴とする画像符号化装置。
【請求項２】
前記第１の算出手段は、
前記記憶手段に記憶された複数の参照フレームそれぞれにおける前記注目ブロック用の整数画素ピッチの予測動き情報を算出し、各整数画素ピッチの予測動き情報の中の注目ブロックに最も相関の高い１つを算出結果として出力することを特徴とする請求項１に記載の画像符号化装置。
【請求項３】
前記予測動き情報には複数の領域分割パターンが存在することを特徴とする請求項１に記載の画像符号化装置。
【請求項４】
フレーム間符号化工程、フレーム内符号化工程を備え、動画像データを符号化する画像符号化方法であって、
前記フレーム間符号化工程は、
所定の記憶手段に、現フレーム以外の複数の参照フレームを格納する格納工程と、
現フレーム内の注目ブロックに関する整数画素ピッチの精度での予測動き情報を、前記記憶手段に記憶された複数の参照フレームの中から算出する第１の算出工程と、
該第１の算出工程で算出された前記整数画素ピッチの精度の予測動き情報を得る際に参照した参照フレームから、前記整数画素ピッチよりも小さいピッチで予測動き情報を算出する第２の算出工程と、
前記第１及び第２の算出工程で得られた各予測動き情報を評価し、１つの予測動き情報を決定し、決定された予測動き情報と現フレームの注目ブロックとの差分を求め、符号化する符号化工程と
を備えることを特徴とする画像符号化方法。
【請求項５】
コンピュータが読込み実行することで、前記コンピュータを、フレーム間符号化手段、フレーム内符号化手段を備え、動画像データを符号化する画像符号化装置として機能させるコンピュータプログラムであって、
前記フレーム間符号化手段は、
所定の記憶手段に、現フレーム以外の複数の参照フレームを格納する格納手段と、
現フレーム内の注目ブロックに関する整数画素ピッチの精度での予測動き情報を、前記記憶手段に記憶された複数の参照フレームの中から算出する第１の算出手段と、
該第１の算出手段で算出された前記整数画素ピッチの精度の予測動き情報を得る際に参照した参照フレームから、前記整数画素ピッチよりも小さいピッチで予測動き情報を算出する第２の算出手段と、
前記第１及び第２の算出手段で得られた各予測動き情報を評価し、１つの予測動き情報を決定し、決定された予測動き情報と現フレームの注目ブロックとの差分を求め、符号化する符号化手段
として機能させることを特徴とするコンピュータプログラム。
【請求項６】
請求項５に記載のコンピュータプログラムを格納したことを特徴とするコンピュータ可読記憶媒体。
【請求項７】
フレーム間符号化手段、フレーム内符号化手段を備え、動画像データを符号化する画像符号化装置であって、
前記フレーム間符号化手段は、
現フレーム以外の複数の参照フレームを記憶する記憶手段と、
現フレーム内の注目ブロックに関する整数画素ピッチの精度での予測動き情報を、前記記憶手段に記憶された複数の参照フレームの中から算出する第１の算出手段と、
該第１の算出手段で算出された前記整数画素ピッチの精度の予測動き情報を得る際に、評価の高かった所定数の参照フレームから、前記整数画素ピッチよりも小さいピッチで予測動き情報を算出する第２の算出手段と、
前記第１及び第２の算出手段で得られた各予測動き情報を評価し、１つの予測動き情報を決定し、決定された予測動き情報と現フレームの注目ブロックとの差分を求め、符号化する符号化手段と
を備えることを特徴とする画像符号化装置。
【請求項８】
フレーム間符号化工程、フレーム内符号化工程を備え、動画像データを符号化する画像符号化方法であって、
前記フレーム間符号化工程は、
所定の記憶手段に、現フレーム以外の複数の参照フレームを格納する格納工程と、
現フレーム内の注目ブロックに関する整数画素ピッチの精度での予測動き情報を、前記記憶手段に記憶された複数の参照フレームの中から算出する第１の算出工程と、
該第１の算出工程で算出された前記整数画素ピッチの精度の予測動き情報を得る際に、評価の高かった所定数の参照フレームから、前記整数画素ピッチよりも小さいピッチで予測動き情報を算出する第２の算出工程と、
前記第１及び第２の算出工程で得られた各予測動き情報を評価し、１つの予測動き情報を決定し、決定された予測動き情報と現フレームの注目ブロックとの差分を求め、符号化する符号化工程と
を備えることを特徴とする画像符号化方法。
【請求項９】
コンピュータが読込み実行することで、前記コンピュータを、フレーム間符号化手段、フレーム内符号化手段を備え、動画像データを符号化する画像符号化装置として機能させるコンピュータプログラムであって、
前記フレーム間符号化手段は、
所定の記憶手段に、現フレーム以外の複数の参照フレームを格納する格納手段と、
現フレーム内の注目ブロックに関する整数画素ピッチの精度での予測動き情報を、前記記憶手段に記憶された複数の参照フレームの中から算出する第１の算出手段と、
該第１の算出手段で算出された前記整数画素ピッチの精度の予測動き情報を得る際に、評価の高かった所定数の参照フレームから、前記整数画素ピッチよりも小さいピッチで予測動き情報を算出する第２の算出手段と、
前記第１及び第２の算出手段で得られた各予測動き情報を評価し、１つの予測動き情報を決定し、決定された予測動き情報と現フレームの注目ブロックとの差分を求め、符号化する符号化手段と
して機能させることを特徴とするコンピュータプログラム。
【請求項１０】
請求項９に記載のコンピュータプログラムを格納したことを特徴とするコンピュータ可読記憶媒体。
【請求項１１】
フレーム間符号化手段、フレーム内符号化手段を備え、動画像データを符号化する画像符号化装置であって、
前記フレーム間符号化手段は、
現フレーム以外の参照フレームを記憶する記憶手段と、
現フレーム内の注目ブロックに関する予測動き情報を、前記記憶手段に記憶された参照フレームから算出するの算出手段とを備え、
前記予測動き情報を算出する算出手段は、
複数の分割パターンをもつ所定領域の領域分割手段と、
現分割領域内での注目ブロックに関する整数画素ピッチの精度での予測動き情報を、前記領域分割手段で分割された複数の分割パターンから算出する第１の算出手段と、
該第１の算出手段で算出された前記整数画素ピッチの精度の予測動き情報を得る際に算出した分割パターンから、前記整数画素ピッチよりも小さいピッチで予測動き情報を算出する第２の算出手段と、
前記第１及び第２の算出手段で得られた各予測動き情報を評価し、１つの予測動き情報を決定し、決定された予測動き情報と現フレームの注目ブロックとの差分を求め、符号化する符号化手段と
を備えることを特徴とする画像符号化装置。
【請求項１２】
前記第１の算出手段は、
前記領域分割手段に分割された複数の分割パターンのそれぞれにおける前記注目ブロック用の前記整数画素ピッチの予測動き情報を算出し、各整数画素ピッチの予測動き情報の中の注目ブロックに最も相関の高い１つを算出結果として出力することを特徴とする請求項１１に記載の画像符号化装置。
【請求項１３】
フレーム間符号化工程、フレーム内符号化工程を備え、動画像データを符号化する画像符号化方法であって、
前記フレーム間符号化工程は、
所定の記憶手段に、現フレーム以外の参照フレームを格納する格納工程と、
現フレーム内の注目ブロックに関する予測動き情報を、前記記憶手段に記憶された参照フレームから算出する算出工程とを備え、
前記予測動き情報を算出する算出工程は、
所定の領域分割手段で、複数の分割パターンを生成する生成工程と、
現分割領域内での注目ブロックに関する整数画素ピッチの精度での予測動き情報を、前記領域分割手段で分割された複数の分割パターンから算出する第１の算出工程と、
該第１の算出工程で算出された前記整数画素ピッチの精度の予測動き情報を得る際に算出した分割パターンから、前記整数画素ピッチよりも小さいピッチで予測動き情報を算出する第２の算出工程と、
前記第１及び第２の算出工程で得られた各予測動き情報を評価し、１つの予測動き情報を決定し、決定された予測動き情報と現フレームの注目ブロックとの差分を求め、符号化する符号化工程と
を備えることを特徴とする画像符号化方法。
【請求項１４】
コンピュータが読込み実行することで、前記コンピュータを、フレーム間符号化手段、フレーム内符号化手段を備え、動画像データを符号化する画像符号化装置として機能させるコンピュータプログラムであって、
前記フレーム間符号化手段は、
所定の記憶手段に、現フレーム以外の参照フレームを格納する格納手段と、
現フレーム内の注目ブロックに関する予測動き情報を、前記記憶手段に記憶された参照フレームの中から算出する算出手段とを備え、
前記予測動き情報を算出する手段は、
所定の領域分割手段で、複数の分割パターンを生成する生成手段と、
現分割領域内での注目ブロックに関する整数画素ピッチの精度での予測動き情報を、前記領域分割手段で分割された複数の分割パターンから算出する第１の算出手段と、
該第１の算出手段で算出された前記整数画素ピッチの精度の予測動き情報を得る際に算出した分割パターンから、前記整数画素ピッチよりも小さいピッチで予測動き情報を算出する第２の算出手段と、
前記第１及び第２の算出手段で得られた各予測動き情報を評価し、１つの予測動き情報を決定し、決定された予測動き情報と現フレームの注目ブロックとの差分を求め、符号化する符号化手段
として機能させることを特徴とするコンピュータプログラム。
【請求項１５】
請求項１４に記載のコンピュータプログラムを格納したことを特徴とするコンピュータ可読記憶媒体。
【手続補正２】
【補正対象書類名】明細書
【補正対象項目名】００１３
【補正方法】変更
【補正の内容】
【００１３】
この課題を解決するため、例えば本発明の画像符号化装置は以下の構成を備える。すなわち、
フレーム間符号化手段、フレーム内符号化手段を備え、動画像データを符号化する画像符号化装置であって、
前記フレーム間符号化手段は、
現フレーム以外の複数の参照フレームを記憶する記憶手段と、
現フレーム内の注目ブロックに関する整数画素ピッチの精度での予測動き情報を、前記記憶手段に記憶された複数の参照フレームの中から算出する第１の算出手段と、
該第１の算出手段で算出された前記整数画素ピッチの精度の予測動き情報を得る際に参照した参照フレームから、前記整数画素ピッチよりも小さいピッチで予測動き情報を算出する第２の算出手段と、
前記第１及び第２の算出手段で得られた各予測動き情報を評価し、１つの予測動き情報を決定し、決定された予測動き情報と現フレームの注目ブロックとの差分を求め、符号化する符号化手段とを備える。